(57)【要約】【課題】売上商品に係るデータ入力に基づいて合計金額に対する預かり金額の硬貨枚数より釣り銭額の硬貨枚数を少なくなるように表示器に預かり金額を表示する。【解決手段】売上商品に係るデータ入力に基づいて合計金額に対する預かり金額の硬貨枚数よりも釣り銭額の硬貨枚数が少なくなるように預かり金額と釣り銭額の組合せ候補を客用ディスプレイ２８とタッチパネル付ディスプレイ２９に表示する。【選択図】      図４
2008123123.tif 000002
【特許請求の範囲】
【請求項１】
売上商品に係るデータ入力に基づいて売上の合計金額を算出して表示器に表示し、その表示された前記合計金額に対する預かり金額が多い場合は釣り銭額を算出する商品販売データ処理装置において、前記預かり金額の硬貨枚数よりも前記釣り銭額の硬貨枚数が少なくなるように前記預かり金額候補を前記表示器に表示することを特徴とする商品販売データ処理装置。
【請求項２】
前記預かり金額と釣り銭額との組合せ候補を前記表示器に表示することを特徴とする請求項１記載の商品販売データ処理装置。
【請求項３】
前記合計金額に対する前記預かり金額と前記釣り銭額との組合せ候補を記憶し格納する預かり金額ファイルを備えることを特徴とする請求項１または２記載の商品販売データ処理装置。
【請求項４】
前記表示器は、客用ディスプレイとタッチパネル付ディスプレイとを備え、前記タッチパネル付ディスプレイには、前記預かり金額候補を表示し、買物客から受け取った当該預かり金額に一致する当該預かり金額をタッチ操作することにより当該預かり金額が入力されることを特徴とする請求項１または２記載の商品販売データ処理装置。
【請求項５】
前記タッチパネル付ディスプレイには、複数のタッチボタンを設け、前記タッチボタンごとに前記預かり金額候補を表示し、当該預かり金額が表示された前記タッチボタンをタッチ操作することにより当該預かり金額が入力されることを特徴とする請求項４記載の商品販売データ処理装置。
【請求項６】
前記タッチボタンには、前記預かり金額と前記釣り銭額との組合せ候補を表示させることを特徴とする請求項５記載の商品販売データ処理装置。
【発明の詳細な説明】
【技術分野】
【０００１】
本発明は、たとえば、コンビニエンスストア等で使用されるＰＯＳ（Point Of Sales）端末等の商品販売データ処理装置に関する。
【背景技術】
【０００２】
従来、ＰＯＳ端末等の商品販売データ処理装置は、１商取引に際して、売上商品に係るデータ入力に基づいて小計キーを操作し売上の小計金額から合計金額が算出され表示器に表示するようになっている。そして、買物客から合計金額に対する預かり金額を受け取ると、預かり金額をキー操作により入力した後、預／現計キーを操作することにより釣り銭額計算が行われ、キー操作で入力された預かり金額から合計金額が減算されて釣り銭額が支払われる。
【０００３】
また、買物客が購入した商品の合計金額に対して買物客から受け取る金額を複数予測して表示し、表示された預かり金額の中の買物客から受け取った預かり金額に一致する金額を指定するタッチパネルを備え、このタッチパネルの一致する金額を指定することにより預かり金額として選択し入力することができる。（たとえば、特許文献１参照）。
【特許文献１】特開平１０−６９５７５号公報
【発明の開示】
【発明が解決しようとする課題】
【０００４】
ところで、売上商品に係るデータ入力に基づいて算出される売上の合計金額に対し、買物客は貨幣をキャッシャに差し出して代金を支払うわけであるが、すべての買物客が売上の合計金額と同一金額の貨幣を差し出すわけではない。買物客が差し出した貨幣の金額が合計金額よりも多い場合は、キャッシャはその差額である釣り銭額を買物客に渡さなければならない。たとえば、買物客が支払うため紙幣で支払うと、釣り銭額が大きく、釣り銭額の硬貨枚数が多くなり、財布に多くの硬貨が溜まってしまうという問題があった。
【０００５】
本発明の目的は、売上商品に係るデータ入力に基づいて売上の合計金額に対し支払う預かり金額の硬貨枚数より受け取る釣り銭額の硬貨枚数が少なくなるように表示器に預かり金額を表示する商品販売データ処理装置を提供しようとするものである。
【課題を解決するための手段】
【０００６】
本発明は、売上商品に係るデータ入力に基づいて売上の合計金額を算出して表示器に表示し、その表示された前記合計金額に対する預かり金額が多い場合に釣り銭額を算出する商品販売データ処理装置において、前記預かり金額の硬貨枚数よりも前記釣り銭額の硬貨枚数が少なくなるように前記預かり金額候補を前記表示器に表示することを特徴とする。
【発明の効果】
【０００７】
本発明によれば、財布に入れる釣り銭額の硬貨枚数を預かり金額の硬貨枚数より減らすことができる。また、キャッシャは、釣り銭額の硬貨を迅速に渡すことが可能になる。
【発明を実施するための最良の形態】
【０００８】
以下、本発明の一実施の形態について図面を参照して説明する。
【０００９】
本実施の形態は、たとえば、コンビニエンスストア等で使用されるＰＯＳ端末を商品販売データ処理装置に本発明を適用した場合について説明する。
【００１０】
図１は、本実施の形態に係る商品販売データ処理装置としてのＰＯＳ端末１１の要部構成を示すブロック図である。
【００１１】
図１に示すように、ＰＯＳ端末１１は、制御部本体としてＣＰＵ(Central Processing Unit)１２を搭載している。また、ＲＯＭ(Read Only Memory)１３と、ＲＡＭ(Random Access Memory)１４と、時計部１５と、通信インターフェイス１６と、スキャナインターフェイス１７とドロアインターフェイス１８と、キーボードコントローラ１９と、表示コントローラ２０と、タッチパネルコントローラ２１と、プリンタコントローラ２２等を搭載している。そして、ＣＰＵ１２と、ＲＯＭ１３、ＲＡＭ１４、時計部１５、通信インターフェイス１６、スキャナインターフェイス１７、ドロアインターフェイス１８、キーボードコントローラ１９、表示コントローラ２０、タッチパネルコントローラ２１、プリンタコントローラ２２等をアドレスバス、データバス等のバスライン２３を介し接続して、ＰＯＳ端末１１の制御部を構成している。
【００１２】
ＲＯＭ１３は、登録業務プログラム等の制御プログラムの固定的データを予め格納されている。
【００１３】
ＲＡＭ１４は、各種データを書き換え自在に格納する各種メモリエリアを形成している。このメモリエリアには、預かり金額ファイル２４が格納されている。この預かり金額ファイル２４は、１商取引の売上商品に基づいて売上の合計金額に対する預かり金額と釣り銭額の組合せ候補が格納されている。この預かり金額ファイル２４は、売上商品にかかるデータ入力に基づいて売上の合計金額に対応する預かり金額の硬貨枚数よりも釣り銭額の硬貨枚数が少なくなるように合計金額に対応する預かり金額と釣り銭額の組合せ候補がプリセットされている。
【００１４】
時計部１５は、現在の日付および時刻を計時するものである。
【００１５】
通信インターフェイス１６は、ＬＡＮ（Local Area Network）等の通信回線を介してデータの送受信を行うもので、通信回線には、店舗業務管理用のコンピュータであるストアサーバ等が接続されている。
【００１６】
スキャナインターフェイス１７は、スキャナ２５で読取られた商品コード等のコードデータを読取るもので、スキャナ２５は各商品につけられたバーコードまたは二次元データコード等を読取り可能なものである。
【００１７】
ドロアインターフェイス１８は、ドロワ２６との間でデータを送受信するもので、ＣＰＵ１２からの指令によりドロワ２６を自動開放させる駆動信号を出力するようになっている。
【００１８】
キーボードコントローラ１９はキーボード２７から操作キーに対応したキー信号を取り込むもので、キーボード２７には置数キー、乗算キー、クリアキー、小計キー、預／現計キー、取消キー等の各種キーが配設されている。前記小計キーは、１商取引の売上処理において合計金額の算出を宣言するキーである。前記預／現計キーは、１商取引の売上処理において現金による登録締めを宣言するキーとして機能する。
【００１９】
表示コントローラ２０は、表示器である客用ディスプレイ２８の画面表示を制御するもので、客用ディスプレイ２８は、買物客に対して売上商品の品名、価格や１商取引の合計金額、預かり金額、釣り銭額等を表示する客用表示器である。
【００２０】
タッチパネルコントローラ２１は、表示器とタッチパネルとの機能を兼ねるタッチパネル付ディスプレイ（以下、タッチパネルという）２９に画面を表示させ、その画面上のタッチ操作位置からタッチ入力データを取り込むもので、タッチパネル２９は、当該ＰＯＳ端末１１の店員であるキャッシャに対して売上商品の品名、価格や１商取引の合計金額、預かり金額、釣り銭額等を表示する店用表示器である。
【００２１】
プリンタコントローラ２２は、プリンタ３０の印字動作を制御するもので、プリンタ３０は、レシート用紙に１商取引の明細データを印刷して買上レシートを発行することが可能なレシートプリンタである。
【００２２】
図２は、買物客の購入した売上商品の合計金額に対する預かり金額と釣り銭額の組合せ候補を表示するタッチパネル２９の表示画面を示す。
【００２３】
図２に示すように、タッチパネル２９の表示画面は、売上商品の合計金額を表示する合計金額表示欄４１と、当該合計金額に対する預かり金額と釣り銭額の組合せ候補を表示する預かり金額と釣り銭額の組合せ表示欄４２とからなる。この預かり金額と釣り銭額の組合せ表示欄４２に預かり金額の硬貨枚数より釣り銭額の硬貨枚数が少なくなる順に、第一候補のタッチボタン４２ａと、第二候補のタッチボタン４２ｂとが設けられている。なお、タッチボタン４２ａ、４２ｂの預かり金額と釣り銭額は、第一候補と、第二候補に限定することなく、預かり金額の硬貨枚数より釣り銭額の硬貨枚数が少なくなる条件であれば多数の候補を表示する。
【００２４】
そして、買物客が商品を購入すると売上商品の合計金額「￥１、７３４」に対し第一候補のタッチボタン４２ａには、預かり金額「￥２、２３４」と釣り銭額「￥５００」が表示される。また、第二候補のタッチボタン４２ｂには、預かり金額「￥２、０３４」と釣り銭額「￥３００」が表示される。
【００２５】
買物客は、合計金額「￥１、７３４」に対して、第一候補として預かり金額「￥２、２３４」を支払うとき、通常１、０００円の紙幣２枚と、２３４円分の硬貨をキャッシャに支払う。この場合、１００円硬貨が２枚、１０円硬貨が３枚、１円硬貨が４枚の合計９枚の硬貨が支払われる。買物客は、釣り銭額として５００円硬貨を１枚受け取る。この場合、財布の硬貨は８枚の削減になる。
【００２６】
買物客は、合計金額「￥１、７３４」に対して、第二候補のとして預かり金額「￥２、０３４」を支払うとき、通常１、０００円の紙幣２枚と、３４円分の硬貨をキャッシャに支払う。この場合、１０円硬貨を３枚、１円硬貨を４枚の７枚の硬貨を支払う。買物客は、釣り銭額として１００円硬貨を３枚受け取る。この場合、財布の硬貨は４枚の削減になる。
【００２７】
図３は、他の実施の形態として図２と同様に、買物客の購入した売上商品の合計金額に対する預かり金額と釣り銭額の組合せ候補を表示するタッチパネル２９の表示画面を示す。
【００２８】
図３に示すように、タッチパネル２９の表示画面は、売上商品の合計金額の合計金額表示欄４３と、当該合計金額に対する預かり金額と釣り銭額の組合せ候補を表示する預かり金額と釣り銭額の組合せ候補を表示欄４４とからなる。この預かり金額と釣り銭額の組合せ候補を表示欄４４に預かり金額の硬貨枚数より釣り銭額の硬貨枚数が少なくなる順に、第一候補のタッチボタン４４ａと、第二候補のタッチボタン４４ｂとが設けられている。
【００２９】
そして、買物客が商品を購入すると売上商品の売上の合計金額「\７２３」に対し第一候補のタッチボタン４４ａには、たとえば、預かり金額「￥１、２２３」と釣り銭額「￥５００」が表示される。また、第二候補のタッチボタン４４ｂには、預かり金額「￥１、０２３」と釣り銭額「￥３００」が表示される。
【００３０】
買物客は、合計金額「￥７２３」に対し第一候補として預かり金額「￥１、２２３」を支払うとき、通常１、０００円紙幣と、２２３円分の硬貨をキャッシャに支払う。この場合、１００円硬貨が２枚、１０円硬貨が２枚、１円硬貨が３枚の合計７枚の硬貨が支払われる。買物客は、釣り銭額として５００円硬貨を１枚受け取る。この場合、財布の硬貨は６枚の削減になる。
【００３１】
買物客は、合計金額「￥７２３」に対して第二候補のとして預かり金額「￥１、０２３」を支払うとき、通常１、０００円紙幣と、２３円分の硬貨とをキャッシャに支払う。この場合、１０円硬貨を２枚、１円硬貨を３枚の５枚の硬貨を支払う。買物客は、釣り銭額として１００円硬貨を３枚受け取る。この場合、財布の硬貨は２枚の削減になる。
【００３２】
次に、本実施の形態に係るＰＯＳ端末１１は、たとえばＲＯＭ１３に記憶された登録業務プログラムにより、買物客との１商取引に対してＣＰＵ１２が図４のフローチャートに示す売上処理を実行するようになっている。なお、買物客が購入した売上商品の売上の合計金額は図２に示す「￥１，７３４」について説明する。
【００３３】
売上処理としてＣＰＵ１２は、ＳＴ（ステップ）１１として売上商品について商品コード、販売点数、販売金額等をスキャナ２５によるスキャニングあるいはキーボード２７のキー操作入力により売上商品登録処理を行う。
【００３４】
ＣＰＵ１２は、小計キーの操作がないＳＴ１２のＮＯの場合、小計キーが押下されるまで売上商品登録処理を繰り返し実行する。
【００３５】
ＣＰＵ１２は、ＳＴ１２のＹＥＳとして小計キーが押下された場合、ＳＴ１３として売上商品登録処理により合計金額が算出されるとともにその合計金額を基にして預かり金額ファイル２４を読み込み預かり金額と釣り銭額の組合せ候補を表示器である客用ディスプレイ２８およびタッチパネル２９に表示する。
【００３６】
次に、合計金額「￥１、７３４」に対する預かり金額候補の中から第一候補の預かり金額「￥２、２３４」をキャッシャが受け取ると、キャッシャは、預かり金額「￥２、２３４」と釣り銭額「￥５００」が表示されているタッチパネル２９の第一候補のタッチボタン４２ａを選択しタッチ操作（押下）をすると、すなわち、該当候補を押下すると、ＣＰＵ１２は、ＳＴ１４のＹＥＳとしてそのタッチ操作（押下）されたタッチボタン４２ａの預かり金額「￥２、２３４」を入力するとともに、１商取引として売上商品の商品登録締め処理を実行する。
【００３７】
ＳＴ１４のＮＯとして客用ディスプレイ２８およびタッチパネル２９に預かり金候補が表示されない預かり金額をキャッシャが受け取った場合、ＳＴ１５として預かり金額をキーボード２７のキー操作入力により値数入力を行う。
【００３８】
次に、ＣＰＵ１２は、ＳＴ１６として預/現計キーが押下されると、１商取引として売上商品の売上商品登録処理の登録終了が宣言されたので、商品登録締め処理を実行する。
【００３９】
このように本実施の形態によれば、買物客は１商取引において、預かり金額より釣り銭額の硬貨枚数を少なく受け取ることで財布の硬貨を削減することができる。また、キャッシャは、釣り銭額硬貨を迅速に渡すことが可能になる。
【００４０】
なお、本発明はキャッシャが操作可能なタッチパネル２９の表示画面に預かり金額候補の表示を行うが、客用ディスプレイ２８に預かり金額候補を表示させることで買い物客に対して、釣り銭額として受け取る小銭の枚数を減らすことを促すようにしてもよいことは言うまでもない。また、ＰＯＳ端末１１に複数硬貨（金種）を備えた自動釣銭機を接続することで釣り銭額の硬貨を自動的に払い出すことも可能である。
【００４１】
以上説明したように、本発明は前記実施の形態に限定されるものではなく、実施の段階ではその趣旨を逸脱しない範囲で種々に変形することが可能であるのは勿論である。
【図面の簡単な説明】
【００４２】
【図１】本発明に係るＰＯＳ端末における要部構成を示すブロック図。
【図２】本実施の形態におけるタッチパネルの表示画面を示す図。
【図３】他の実施の形態におけるタッチパネルの表示画面を示す図。
【図４】本発明に係るＰＯＳ端末の動作を示すフローチャート。
【符号の説明】
【００４３】
１１…ＰＯＳ端末、１２…ＣＰＵ、１３…ＲＯＭ、１４…ＲＡＭ、２４…預かり金額ファイル、２５…スキャナ、２７…キーボード、２８…客用ディスプレイ、２９…タッチパネル付ディスプレイ（タッチパネル）、４２ａ，４２ｂ，４４，４４ｂ…タッチボタン（預かり金額入力部）。
【図１】
2008123123.tif 000003
【図２】
2008123123.tif 000004
【図３】
2008123123.tif 000005
【図４】
2008123123.tif 000006